(57)【要約】【課題】監視の対象となる場所の状況をモニターする手段としての充分な機能性を有すると共に、設置箇所の広さや設置箇所まで移動する際の経路に制約を受けにくく設置がしやすい移動式監視カメラ装置を提供する。【解決手段】移動式監視カメラ装置(A)は、通信機能を有し映像を表示するパーソナルコンピュータと組み合わせて使用され、移動式監視カメラ装置(A)は、手押し式の台車(1)と、台車(1)に取り付けられ高さ及び撮影方向が調節できるネットワークカメラ(4,4a.4b)と、ネットワークカメラ(4,4a.4b)で撮影した映像データをパーソナルコンピュータへ送信する無線LANルータ(5)と、回転灯(6)と、台車(1)に取り付けられ、ネットワークカメラ(4,4a.4b)、無線LANルータ(5)及び回転灯(6)に電力を供給するエンジン式の発電機(2)を備えている。【選択図】図６
2015126276.tif 000002
【特許請求の範囲】
【請求項１】
手押し式の台車と、
該台車に取り付けられ、高さ及び撮影方向が調節できるカメラと、
該カメラで撮影した映像データを受信装置へ送信する送信装置と、
前記台車に取り付けられ、前記カメラ及び前記送信装置に電力を供給する電力供給手段とを備える  移動式監視カメラ装置。
【請求項２】
移動式監視カメラ装置の存在を周囲に積極的にアピールする警告手段を備えている
請求項１の移動式監視カメラ装置。
【請求項３】
前記電力供給手段がエンジン式の発電機を含む
請求項１又は２の移動式監視カメラ装置。
【請求項４】
前記送信装置が、前記送信装置が映像データを送る受信装置と同一の無線ネットワークに属する
請求項１、２又は３の移動式監視カメラ装置。
【請求項５】
ハンドルの回転操作で前記カメラの高さを調節する高さ調節装置を有し、該高さ調節装置がハンドルの回転を止めるロック機構部を有する
請求項１、２、３又は４の移動式監視カメラ装置。
【発明の詳細な説明】
【技術分野】
【０００１】
本発明は、移動式監視カメラ装置に関するものである。更に詳しくは、監視の対象となる場所の状況を監視できる充分な機能性を有すると共に、設置箇所の広さや設置箇所まで移動する際の経路に制約を受けにくく設置がしやすい移動式監視カメラ装置に関する。
【背景技術】
【０００２】
近年、花火大会や祭り等の人出の多いイベント会場、あるいは災害現場や工事現場等においては、人の動きや周りの様々な状況をリアルタイムでモニターしたり映像として記録する監視装置が広く使用されている。この監視装置には、監視する対象となる場所を固定して運用する固定式のものと、監視の対象となる場所を必要に応じて変えることができる移動式のものがある。
移動式のものは、固定式のものと相違して、例えば必要な時期や時間帯に現場に一時的に設置できる等、より柔軟に運用できるため汎用として使いやすい利点がある。このような移動式の監視装置の一例としては、特許文献１の「移動式監視装置」がある。
【０００３】
特許文献１に開示された移動式監視装置は、車体の内部領域に路面に対して概ね直交する回転軸心線のまわりに回転するカメラと同体に回転し、回転軸心線に対して概ね直交する線のまわりに回転するミラーを備え、カメラと同体に回転するズーム機構が設けられており、ズーム機構の光軸の方向と鉛直方向の関係、及び光軸の方向とミラーの回転軸心の向きとの関係により、監視対象を俊敏にモニターすることができ、小型軽量化できるというものであり、装置を車体（自動車）に備えているので、監視する場所を容易に変えることができる。
【先行技術文献】
【特許文献】
【０００４】
【特許文献１】特開２０００−３５０１９０号公報
【発明の概要】
【発明が解決しようとする課題】
【０００５】
しかしながら、上記従来の移動式監視装置には、次のような課題があった。
すなわち、監視カメラ等の装置が自動車に搭載されているので、歩道や狭い路地等、自動車が入れない所には設置することができず、仮に歩道等で設置できたとしても、自動車の車体が大きいため、歩行者等の通行の邪魔になりやすく、危険でもあり好ましくなかった。
【０００６】
また、移動式監視装置を構成する映像装置のうち、車体の外部に露出し外部から見えるのはミラーだけであり、カメラ自体は車体に収まっており見えない構造である。したがって、移動式監視装置は、監視装置としてはほとんど目立たず、人目を引くこともあまりない。このため、現場の状況をモニターする手段としての機能性は充分であっても、例えば暴力や窃盗等の犯罪やトラブルの発生を未然に防ぐ抑止効果については、あまり期待できなかった。
【０００７】
本発明は、以上の点に鑑み創案されたものであり、監視の対象となる場所の状況をモニターする手段としての充分な機能性を有すると共に、設置箇所の広さや設置箇所まで移動する際の経路に制約を受けにくく設置がしやすい移動式監視カメラ装置を提供することを目的とする。
【０００８】
また、本発明の他の目的は、移動式監視カメラ装置の存在を周囲に積極的にアピールすることによって、例えばイベント等に参加した多数の観客の高揚感を収めさせて自制を促し、そのような状況下でも犯罪等のトラブルの発生を未然に防止できるようにすることである。
【課題を解決するための手段】
【０００９】
（１）本発明は、手押し式の台車と、該台車に取り付けられ、高さ及び撮影方向が調節できるカメラと、該カメラで撮影した映像データを受信装置へ送信する送信装置と、前記台車に取り付けられ、前記カメラ及び前記送信装置に電力を供給する電力供給手段とを備える移動式監視カメラ装置である。
【００１０】
（２）本発明は、移動式監視カメラ装置の存在を周囲に積極的にアピールする警告手段を備えている構成とすることもできる。
【００１１】
この場合は、警告手段により移動式監視カメラ装置の存在を周囲に積極的にアピールすることによって、又は状況によっては威嚇することによって、個人は言うに及ばず、例えば、イベント等に参加した多数の観客の高揚感を収めさせ、さらにいえば、合理的に是非を判断しないまま特定の行動に流されてしまうような、いわゆる集団心理を共有する人たちの自制を促すことにより、そのような状況下でも犯罪等のトラブルの発生を未然に防止できる。
【００１２】
（３）本発明は、前記電力供給手段がエンジン式の発電機を含む構成とすることもできる。
【００１３】
この場合は、エンジンの運転によりエンジン音が発生し、エンジンは音声発生装置、すなわち警告手段ともなり得るので、上記警告手段により移動式監視カメラ装置の存在を周囲に積極的にアピールするときに効果的に補助できる。また、エンジン式の発電機は、給油をする手間が必要ではあるが、長時間の運用（稼働）が可能であるので、電力を継続的に供給する点においては場所を選ばず運用できる。
【００１４】
（４）本発明は、前記送信装置が、前記送信装置が映像データを送る受信装置と同一の無線ネットワークに属する構成とすることもできる。
【００１５】
この場合は、送信装置から送信された映像データが受信装置に無線（ワイヤレス）で送られ、その映像を受信装置によって見ることができるので、ケーブルを使用した有線通信の場合のように、ケーブル処理の煩雑さや外観的な見苦しさを解消することができる。また、例えば無線ネットワークとしてインターネット回線や携帯電話回線を利用することで、監視の対象となる場所（移動式監視カメラ装置の設置場所）から遠く離れた所でも受信装置を使用し監視することが可能になる。
【００１６】
（５）本発明は、ハンドルの回転操作で前記カメラの高さを調節する高さ調節装置を有し、該高さ調節装置がハンドルの回転を止めるロック機構部を有する構成とすることもできる。
【００１７】
この場合は、カメラの高さ位置が変わらないように固定することができる。すなわち、カメラは比較的重いために、カメラを上昇させた状態で監視装置を移動したりすると、路面の凹凸によるショック等でハンドルが回ってしまい、カメラが急激に下方へ落ちる危険があったが、ロック機構部でハンドルが回らないようにすることで、その危険を解消することができる。
【００１８】
本明細書及び特許請求の範囲にいう「送信装置」としては、Wi-Fiルータ、多機能携帯電話機（スマートフォン）、あるいは無線LANルータ等が挙げられるが、これらに限定されるものではない。
また、送信装置から送信される映像データを受信する「受信装置」としては、例えばディスプレイを備えたパーソナルコンピュータ、ディスプレイに有線又は無線で接続できるパーソナルコンピュータや各種受信機器、あるいは多機能携帯電話機（スマートフォン）等が挙げられるが、同等の機能を有するものであれば、これに限定されるものではない。
【００１９】
本明細書及び特許請求の範囲にいう「電力供給手段」としては、エンジン式の発電機（交流発電機）の他、例えば蓄電池、太陽電池パネル等が採用できるが、これらに限定はされない。なお、蓄電池を採用する場合では、発電機から充電できるようにして、電力供給を蓄電池と発電機によって行うようにしてもよいし、発電機は搭載せずに商用電源から充電して、電力供給を蓄電池によって行うようにしてもよい。
本明細書及び特許請求の範囲にいう「警告手段」の用語は、例えばパトランプ等の回転灯、LEDで文字が流れるように表示する電光掲示装置、あるいは各種音声装置等を含む意味で使用しているが、これらに限定するものではない。
【００２０】
本明細書及び特許請求の範囲にいう「無線ネットワーク」の用語は、例えばWi-Fi等を利用して接続するインターネット回線、3G回線等の携帯電話回線、あるいは無線LANで構築した小規模な回線等を含む意味で使用している。
本明細書及び特許請求の範囲にいう「カメラ」の用語は、例えば有線や無線のLAN機能等を有するネットワークカメラ、又はWebカメラの他、録画機能を有するビデオカメラ、あるいはカムコーダ等を含む意味で使用している。
【００２１】
（作用）
本発明の移動式監視カメラ装置の作用を説明する。
移動式監視カメラ装置を監視対象となる場所に設置する際には、まず、貨物自動車等に移動式監視カメラ装置を積載し、自動車が入って行ける所まで搬送する。そして、作業者が移動式監視カメラ装置を自動車から降ろし、手押しすることによって設置箇所まで移動する。
【００２２】
このように、本発明の移動式監視カメラ装置は、従来の監視装置のように自動車ごと設置箇所まで移動するのではなく、自動車から離れて移動させることができる。したがって、例えば移動式監視カメラ装置をコンパクトにつくることで、歩道や狭い路地、路面が悪い所、あるいは坂道等でも比較的容易に移動することができ、設置箇所の広さや設置箇所まで移動する際の経路に制約を受けにくく設置がしやすい。
【００２３】
現場においては、台車が動かないように固定するようにし、高さ調節装置を操作してカメラを必要な高さに上昇させる。電力供給手段により、カメラと送信装置に電力を供給し、カメラで撮影した映像を送信装置によって受信装置へ送信する。そして、送信装置から距離をおいて運用されている受信装置によって、カメラからの映像をリアルタイムでモニターすることができる。
【発明の効果】
【００２４】
本発明は、監視の対象となる場所の状況を監視できる充分な機能性を有すると共に、設置箇所の広さや設置箇所まで移動する際の経路に制約を受けにくく設置がしやすい移動式監視カメラ装置を提供することができる。
【００２５】
また、本発明の移動式監視カメラ装置は、警告手段を備えることにより自身の存在を周囲に積極的にアピールすることによって、例えばイベント等に参加した多数の観客の高揚感を収めさせて自制を促し、そのような状況下でも犯罪等のトラブルの発生を未然に防止できる。
【図面の簡単な説明】
【００２６】
【図１】本発明に係る移動式監視カメラ装置の一実施の形態を示す正面視説明図である。
【図２】図１に示す移動式監視カメラ装置の右側面図である。
【図３】図１に示す移動式監視カメラ装置の平面図である。
【図４】図１に示す移動式監視カメラ装置のカメラを下降させた状態を示す背面図である。
【図５】カメラ昇降装置のハンドルロック機構部を示し、（ａ）はロック解除状態、（ｂ）はロック状態を示す説明図である。
【図６】移動式監視カメラ装置を手押しで移動させている状態の説明図である。
【図７】移動式監視カメラ装置のブロック図である。
【発明を実施するための形態】
【００２７】
本発明を図面に示した実施の形態に基づき詳細に説明する。
図１ないし図７を参照する。
移動式監視カメラ装置Ａは、本実施の形態では、受信装置であり無線通信機能を有するパーソナルコンピュータ７と組み合わせて使用される（図７参照）。
【００２８】
移動式監視カメラ装置Ａは、台車１を有している。台車１は、金属製で外形が直方体形状の中空体に形成されたボックス状の本体１０を有し、本体１０の底部の四隅にはキャスター１１が取り付けられている。また、本体１０の上面の一端側（図１で右端側）には、手押し用のハンドル１２が固定されている。本体１０の内部には、エンジン式の発電機２が収められている。発電機２の上部には、燃料タンク２０が配置されている。
【００２９】
なお、発電機２で発電された電力は、電源ユニット２１で直流に変換され、後述するネットワークカメラ４、４ａ、４ｂ及び無線LANルータ５に供給される。また、後述する回転灯６に対しては、発電機２から交流電力が供給されるようになっている（図７参照）。
【００３０】
台車１には、伸縮支柱３が設けられている。伸縮支柱３は、本体１０の上面の一端側から鉛直方向に伸縮する三段の支柱部材３０、３１、３２からなる入れ子式構造を有している。なお、伸縮支柱３が最も縮んだときは、支柱部材３１、３２が最下部の支柱部材３０に収まるようになっている。
【００３１】
伸縮支柱３は、高さ調節装置である伸縮操作装置３３を操作して伸縮することができる。伸縮操作装置３３は、回転ハンドル３３１を手動で正逆方向へ回転操作することにより伸縮支柱３を伸縮できる構造である。なお、伸縮操作装置３３は、ギヤとワイヤを組み合わせた機構を有する公知の一般的な装置であるので、構造の詳細な説明は省略する。
【００３２】
次に、主に図５（ａ）、（ｂ）を参照し、上記回転ハンドル３３１を回転しないように固定するロック機構部について説明する。
ロック機構部３４は、伸縮操作装置３３の機構部が収められたケース３３２の上面側に設けられている。ロック機構部３４は、平面視で長方形状のガイド盤３４１を有している。ガイド盤３４１の幅方向中間部の下面側には、ガイド隙間３４２が形成されている。ガイド盤３４１において、ガイド隙間３４２の上には、長方形状の開口部３４３が形成されている。
【００３３】
ガイド隙間３４２には、先端に三枚のロック爪３４４ａ、３４４ｂ、３４４ｃを有する摺動部材３４４が進退自在に差し込まれている。摺動部材３４４の後端には、上方へ突出し、開口部３４３を貫通したロック用アングル３４５が形成されている。また、上記ガイド盤３４１の上面側、且つ開口部３４３の前側には、上方へ突出してロック用アングル３４６が形成されている。なお、ロック用アングル３４５、３４６には、錠のＵ字金具を通す穴（図示省略）が形成されている。
【００３４】
そして、摺動部材３４４がガイド隙間３４２から進出することにより、上部のL型のロック爪３４４ａは、回転ハンドル３３１のリム３３１ａより外側に位置し、他の直型のロック爪３４４ｂ、３４４ｃは、リム３３１ａの内周側、且つ一本のスポーク３３１ｂを両側から挟むように位置させて係合する。この状態では、ロック用アングル３４５、３４６は近接するので、穴に錠８を掛け、摺動部材３４４が動かないようにして回転ハンドル３３１をロックすることができる。
【００３５】
また、伸縮支柱３の上部には、三台のネットワークカメラ４、４ａ、４ｂを備えている。ネットワークカメラ４、４ａ、４ｂは、SDカード等のメモリーカードに映像を記録できる録画機能を有している。ネットワークカメラ４、４ａ、４ｂは、最上部の支柱部材３２の上部に、取付部材４０を介し取り付けられている。ネットワークカメラ４、４ａ、４ｂは、支柱部材３２を中心軸とする軸周方向に等角度（１２０°）で取り付けられており、撮影方向はほぼ水平方向、且つ放射方向である（図１ないし図３参照）。ネットワークカメラ４、４ａ、４ｂは、ネジ締め構造により、一定の範囲で上下方向に角度調節ができるようにしてある（図１参照）。本実施の形態では、ネットワークカメラ４、４ａ、４ｂの軸周方向の向きは、図１ないし図３に示す方向に固定されているが、それとは異なる適宜方向に向けてもよく、手動又は自動で調節できるようにしてもよい。
【００３６】
取付部材４０の上には、内部に送信装置である無線LANルータ５が収容され固定されているケース５０が取り付けられている。無線LANルータ５には、ネットワークカメラ４、４ａ、４ｂから延長されたLANケーブル４１（図７参照）が接続されている。なお、ネットワークカメラ４、４ａ、４ｂは、上記したようにメモリーカードに映像を記録できる録画機能を有しており、映像データを送信しながら、リアルタイムで映像を記録（録画）することができる。また、ケース５０の上方には、L型のアングル６０を介し、回転灯６が取り付けられている。
【００３７】
移動式監視カメラ装置Ａは、上記構造を有し、自動車が入れない歩道や、狭い道や路地でも移動することができる程度の大きさに形成されている（図６参照）。なお、移動式監視カメラ装置Ａは、本実施の形態では約260ｋgの重量を有するようにつくられており、これによる持ち運びの困難性を盗難対策の一つとしている。
【００３８】
一方、図７に示した受信装置であるパーソナルコンピュータ７は、ディスプレイ７０を有する、いわゆるノートパソコンである。なお、パーソナルコンピュータ７と上記無線LANルータ５は、無線ネットワークである同一のLAN(Local Area Network)に属するように設定されている。
ディスプレイ７０には、専用のアプリケーションを使用することにより、上記ネットワークカメラ４の映像を表示部７１で、ネットワークカメラ４ａの映像を表示部７２で、ネットワークカメラ４ｂの映像を表示部７３で、それぞれリアルタイムで表示することができる。
【００３９】
（作用）
図１ないし図７を参照して、移動式監視カメラ装置Ａの作用について説明する。
移動式監視カメラ装置Ａを、監視対象となるイベント会場等に設置する場合には、まず、貨物自動車等に移動式監視カメラ装置Ａを積載し、自動車が入って行くことができる所まで、パーソナルコンピュータ７と共に搬送する。そして、作業者Ｍが移動式監視カメラ装置Ａを自動車から降ろし、図６に示すように手押しすることによって設置箇所まで移動する。
【００４０】
このように、移動式監視カメラ装置Ａは、従来の監視装置のように自動車ごと設置箇所まで移動するのではなく、自動車で移動可能な所まで移動し、その場所から設置箇所まで、自動車から離れて移動させることができる。また、上記したように、移動式監視カメラ装置Ａはコンパクトにつくられているので、歩道や狭い路地、路面が悪い所、あるいは坂道等でも比較的容易に移動することができ、設置箇所の広さや設置箇所まで移動する際の経路に制約を受けにくく設置がしやすい。
【００４１】
現場においては、キャスター１１をロックし、台車１が動かないようにする。そして、伸縮操作装置３３の回転ハンドル３３１を操作して、ネットワークカメラ４、４ａ、４ｂを必要な高さに上昇させる（図１、図２参照）。ネットワークカメラ４、４ａ、４ｂの高さを決めたら、ロック機構部３４を操作し、回転ハンドル３３１を回転しないようにロックする。これにより、高い位置に設定したネットワークカメラ４、４ａ、４ｂが急激に下方へ落ちる危険はなく、安全を図ることができる。
【００４２】
次に、発電機２を始動し、発電した電力を回転灯６、ネットワークカメラ４、４ａ、４ｂ、及び無線LANルータ５に供給する。これにより、エンジン式の発電機２の作動音が発生すると共に、回転灯６が作動する。なお、発電機２は、給油をする手間が必要ではあるが、長時間の運用が可能であるので、電力を継続的に供給する点においては場所を選ばず運用できる。
【００４３】
また、上記作動音（エンジン音）と回転灯６の作動は、移動式監視カメラ装置Ａの存在を周囲に積極的にアピールする警告手段又は威嚇手段として、周囲に注意を喚起することができるので、例えば、イベント等に参加した多数の観客の高揚感を収めさせて自制を促すことにより、そのような状況下でも犯罪等のトラブルの発生を未然に防止できる。
【００４４】
また、ネットワークカメラ４、４ａ、４ｂにより周囲の撮影を開始すると共に、ネットワークカメラ４、４ａ、４ｂから送られる映像データを無線LANルータ５により送信する。また、メモリーカードには、映像が記録される。この記録映像は、必要に応じて、パーソナルコンピュータ７等で再生することができる。
送信された映像データは、近くの、監視員が駐在する場所にあるパーソナルコンピュータ７の各表示部７１、７２、７３にリアルタイムで表示され、監視員はこの映像で、移動式監視カメラ装置Ａの周囲の状況を監視することができる。
【００４５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４６】
Ａ  移動式監視カメラ装置
１  台車
１０  本体
１１  キャスター
１２  ハンドル
２  発電機
２０  燃料タンク
２１  電源ユニット
３  伸縮支柱
３０、３１、３２  支柱部材
３３  伸縮操作装置
３３１  回転ハンドル
３３１ａ  リム
３３１ｂ  スポーク
３３２  ケース
３４  ロック機構部
３４１  ガイド盤
３４２  ガイド隙間
３４３  開口部
３４４ａ、３４４ｂ、３４４ｃ  ロック爪
３４４  摺動部材
３４５、３４６  ロック用アングル
４、４ａ、４ｂ  ネットワークカメラ
４０  取付部材
４１  LANケーブル
５  無線LANルータ
５０  ケース
６  回転灯
６０  アングル
７  パーソナルコンピュータ
７０  ディスプレイ
７１、７２、７３  表示部
【図１】
2015126276.tif 000003
【図２】
2015126276.tif 000004
【図３】
2015126276.tif 000005
【図４】
2015126276.tif 000006
【図５】
2015126276.tif 000007
【図６】
2015126276.tif 000008
【図７】
2015126276.tif 000009